(57)【要約】【課題】  着用時における通気性や柔軟性を損なうことなく、また、横向き寝になっても腰脇部から尿が染み出しにくい吸収物品を提供する。【解決手段】  液体透過性のトップシート２と、液体不透過性のバックシート３との間に吸収体を有する吸収本体５と、吸収本体５の背側両側部５ｂから延出する本体延出部とを有し、この本体延出部の端部に設けられた係合部材と、吸収本体５腹側部５ａのバックシート３表面に設けられた係合部材により着用状態とする吸収物品であって、上記本体延出部が耐水圧７０ｍｍＨ2Ｏ以上の不織布単体からなるものである使い捨て吸収物品。【選択図】      図１
2006141727.tif 000002
【特許請求の範囲】
【請求項１】
液体透過性のトップシートと、液体不透過性のバックシートとの間に吸収体を有する吸収本体と、吸収本体の背側両側部から延出する本体延出部とを有し、この本体延出部の端部に設けられた係合部材と、吸収本体腹側部のバックシート表面に設けられた係合部材により着用状態とする吸収物品であって、
上記本体延出部が耐水圧７０ｍｍＨ2Ｏ以上の不織布単体からなるものであることを特徴とする使い捨て吸収物品。
【請求項２】
上記不織布の目付けが３０〜１８０ｇ／ｍ2である請求項１に記載の使い捨て吸収物品。
【請求項３】
上記不織布がポリプロピレン系合成繊維を含むものである請求項１または２に記載の吸収物品。
【発明の詳細な説明】
【技術分野】
【０００１】
本発明は、使い捨ておむつに代表される使い捨て吸収物品に関する。
【背景技術】
【０００２】
使い捨て吸収物品には、下着感覚での着用が可能なパンツ型と、平板状であって、着用者の背側両側部から延出するようにして設けられた止着手段を、腹側で固定して着用状態とする開放型のものとがある。これらの吸収物品では、着用時の快適さを向上させるため、その素材として通気性を有する不織布が用いられている（例えば特許文献１等）。特に、後者（開放型の使い捨て吸収物品）の場合には、止着手段が取付けられる背側両側部からの延出部に不織布が単体で用いられる場合がある。
【特許文献１】特開２００２−０４５２１４号
【発明の開示】
【発明が解決しようとする課題】
【０００３】
しかしながら、上述のような開放型の吸収物品では、たとえ体重や体型に応じたサイズのものを使用していても、体を横たえた場合などには、吸収体に体圧がかかり、すでに吸収された尿などが吸収体から染み出し、着用者の体や吸収物品を伝って、不織布単体で構成された部分（例えば上記延出部）から外部へと尿が染み出してしまうといった問題があった。
【０００４】
本発明は、上述のような事情に着目してなされたもので、その目的は、着用時における通気性や柔軟性を損なうことなく、また、着用者が横臥状態になっても腰脇部から尿が染み出しにくい使い捨て吸収物品を提供することにある。
【課題を解決するための手段】
【０００５】
上記課題を解決し得た本発明の使い捨て吸収物品とは、液体透過性のトップシートと、液体不透過性のバックシートとの間に吸収体を有する吸収本体と、吸収本体の背側両側部から延出する本体延出部とを有し、この本体延出部の端部に設けられた係合部材と、吸収本体腹側部のバックシート表面に設けられた係合部材により着用状態とする吸収物品であって、上記本体延出部が耐水圧７０ｍｍＨ2Ｏ以上の不織布単体からなるものであるところに要旨を有するものである。
【０００６】
通常、吸収物品には、排出された尿を確実に保持し得る吸収能を有するのは勿論のこと、蒸れやベタツキといった着用時の不快感を低減し得る通気性を有することも求められる。このような観点から、着用時に腰脇部などに当接する部分においては、吸収能よりも通気性を重視した商品設計がなされているが、上述したように、着用時の体勢によっては当該部分から尿が染み出してしまうといった問題がある。そこで、本発明者らは、尿などが染み出し難く、かつ、通気性に優れるといった相反する特性を備えた吸収物品を提供すべく検討を進めた結果、吸収物品において、上記腰脇部に当接する部分を構成する不織布、すなわち、上記吸収本体の背側両側部から延出する本体延出部を構成する不織布の耐水圧が７０ｍｍＨ2Ｏ以上であれば上述のような問題が解消されることを見出した。
【０００７】
ここで、耐水圧とは、ＪＩＳ  Ｌ１０９２の耐水圧試験（Ａ法：低水圧法）に準じて算出される値であって、本発明では、不織布からの尿の染み出しにくさを指標する値として採用する。数値が大きいほど尿などが染み出しにくいことを意味する。
【０００８】
着用時の蒸れやベタツキといった不快感を低減する観点からは、上記不織布の目付けが３０〜１８０ｇ／ｍ2であるのが好ましい。さらに、肌触りが良好なことから上記不織布がポリプロピレン系合成繊維を含むものであるのが好ましい。
【発明の効果】
【０００９】
上記構成を有する本発明の吸収物品は、通気性に優れると共に、吸収体から染み出した尿などが腰脇部を通じて吸収物品外部へと漏れ出すのを低減することができる。したがって、横臥状態はもとより、いかなる体勢をとる場合であっても尿などが染み出し難く、着用者の不安感を低減できる。
【発明を実施するための最良の形態】
【００１０】
図１〜３は、本発明にかかる吸収物品の実施形態を示す模式図であり、図１は、吸収物品を展開した状態の平面図であり、図２は、図１中のＡ−Ａ線断面図、図３は吸収物品の着用時の状態を示している。本発明の吸収物品１は、液体透過性のトップシート２と、液体不透過性のバックシート３との間に吸収体４を有する吸収本体５と、吸収本体５の背側５ｂ両側部から吸収本体の幅方向外側へ延出する左右一対の本体延出部６とを有し、この本体延出部６の端部に設けられた係合部材７ｂと、吸収本体５腹側部５ａのバックシート３表面に設けられた係合部材７ａ（図示せず）により着用状態とする吸収物品であって、上記本体延出部６が耐水圧７０ｍｍＨ2Ｏ以上の不織布単体からなるものであるところに特徴を有している。
【００１１】
上述のような構成とすることで、通気性や柔軟性を損なうことなく、また、不織布単体からなる腰脇部からの尿漏れが生じにくい吸収物品とすることができたのである。
【００１２】
まず、本発明の吸収物品の吸収能を確保する吸収本体５について説明する。図１〜３の例では、吸収本体５は、トップシート２とバックシート３との間に吸収体４を挟みこんだ後、吸収体４の両側縁を覆うようにサイドシート８を設けることによって形成される。
【００１３】
上記トップシート２は、図２に示したように、吸収体４の幅よりも狭くてもよいし、それより広くてもかまわない。このトップシート２としては、着用者からの排泄物（体液）を素早く捕捉し、吸収体４へ移行し得るような液体透過性のシート材料を用いるのが好ましい。具体的には、セルロ―ス、レーヨン、コットンなどの親水性繊維を用いた不織布材料、ポリプロピレン、ポリエチレン、ポリエステル、ポリアミドなどの疎水性繊維（複合繊維も含む）を使用した不織布でその表面を界面活性剤により処理し液体透過性としたもの、あるいは、開孔を有するプラスチックフィルム等、通常使い捨て吸収物品に使用される液体透過性のシート材料が挙げられる。
【００１４】
上記バックシート３には、吸収体４に吸収された体液が吸収物品１の外側へ染み出すのを防ぐため、撥水性あるいは液体不透過性のシート材料を用いるのが好ましい。より好ましくは、通常、使い捨て吸収物品に用いられる撥水性不織布材料（例えば、上記疎水性繊維からなるスパンボンド不織布、メルトブロー不織布、ＳＭＳ不織布など）、プラスチックフィルム（好ましくは通気性プラスチックフィルム）およびこれらの複合材料などが挙げられる。
【００１５】
上記バックシート３は、吸収物品の表面に露出するものであるので、吸収物品の外観あるいは肌触りを向上させるため、その表面に外装シート１３を設けたものであってもよい（図６参照）。なお、上記外装シート１３は、バックシート３と同じ幅を有するように一体に形成されていてもよく、また、バックシート３を吸収体４と略同等の幅とし、外装シート１３を広幅に形成してもよい。上記外装シートの素材としては、上述のバックシートと同様の通気性および撥水性を有する不織布材料の他、織物や編物が挙げられる。好ましくは、目付１０〜２５ｇ／ｍ2の不織布材料を用いるのがよい。
【００１６】
上記吸収体４としては、粉砕したパルプ繊維やセルロース繊維等の親水性繊維と粒状の高分子吸水体を混合した吸収コアを、ティッシュペーパー等の紙シートあるいは液体透過性の不織布シート等の被覆シートで包み、所定の形状（長方形，砂時計型，ひょうたん型等）に成形した吸収体が挙げられる。なお、着用者の運動・体勢によらず、一定形状が保持できるように、親水性繊維中や上記被覆シートに形状保持手段（ホットメルト接着剤の塗布、合成繊維の混合）を施しても良い。また、上記繊維や高分子吸水体をシート状に成形したシート状吸収体（例えばエアレイド吸収体）などを所定の形状（長方形，砂時計型等）に成形して用いても良い。
【００１７】
上記サイドシート８は、所定幅を有する撥水性の不織布で構成され、サイドシート８の両側縁はバックシート３と接合されると共に、トップシート２の側縁とも接合されて、立ち上がりギャザー９，９を形成するものである。
【００１８】
この立ち上がりギャザー９，９は、トップシート２の上面側に位置する上記サイドシート８の先端部に、糸条に形成された弾性部材１０が伸長状態で貼着されることにより形成される。すなわち、トップシート２との接合部が立ち上がり基端となる。このようにすることで、着用時に、吸収体４の長さ方向左右両側部に沿ってポケット状に開口した尿止め堰が形成される。なお、上記サイドシート８は、バックシート３と略同等の長さを有しており、吸収体４の前および後端部においては伏せられてトップシート２の上面と接合されている。
【００１９】
上記サイドシート８の素材としては、上述のバックシート３と同様のものを使用することが好ましい。また、立ち上がりギャザー９，９を形成する弾性部材１０としては、ポリウレタン糸，ポリウレタンフィルム，天然ゴム等の弾性伸縮材料を用いることができる。これらの弾性材料の中でも、繊度３００〜２０００デシテックスのポリウレタン糸を、倍率１．１〜４．０倍に伸張して添設するのが好ましい。
【００２０】
さらに、着用時のフィット感を向上させるため、吸収本体５の腹側部５ａおよび背側部５ｂおよび吸収本体５の長さ方向中央部左右のトップシート２とバックシート３の間に、それぞれ吸収本体５幅方向あるいは長さ方向に弾性部材１１，１２を伸長状態で添設してウエスト用ギャザー１１’レッグ用ギャザー１２’を形成してもよい。これらの弾性部材は、それぞれ伸長状態で吸収本体５幅方向、あるいは、長さ方向に貼着する。上記弾性部材としては、立ち上がりギャザー９用弾性部材１０と同様のものを用いることができる。これら弾性部材１１，１２は、ホットメルト接着剤，熱接着，超音波接着等の好適な手段を採用して、上記シート２，３間に添設すればよい。ウエスト用弾性部材１１の場合は、繊度３００〜２０００デシテックスのポリウレタン糸を、倍率２．０〜５．０倍に伸張して添設するのが好ましい。レッグ用弾性部材１２の場合は、繊度３００〜１８５０デシテックスのポリウレタン糸を、倍率１．１〜３．０倍に伸張して添設するのが好ましい。
【００２１】
上記トップシート２、バックシート３とサイドシート８との接合には、当分野で公知のホットメルト接着剤による接着、超音波接着、熱接着等の方法のいずれを採用してもかまわない。上記ホットメルト接着剤としては、ゴム系，スチレン系，ポリオレフィン系，酢酸ビニル系等のホットメルト接着剤から適宜選択すれば良く、接着剤の塗布方法としては、接着剤排出ノズルを接触させつつ塗布する方法、カーテンスプレーコータによるメルトブロー法やスパイラルスプレー法等の非接触式塗工法で網状に塗布する方法、間欠的に塗布するビード塗布法等が挙げられる。
【００２２】
本発明にかかる吸収物品１には、吸収本体５の背側５ｂ両側部から延出する本体延出部６が設けられている。この本体延出部６は、不織布からなる基材シート１５の先端部に、係合部材７ｂが設けられてなるものである。尚、図２には、本体延出部６を、バックシート３とサイドシート８との間に配設する態様を示しているが、本体延出部６の配設方法は特に限定されず、バックシート３の表面（反吸収体４面）に接着剤などで固着する態様（図４）、サイドシート８の上面（肌当接面）に接着させる態様（図５）、バックシート３の表面（反吸収体４面）に設けた外装シート１３とサイドシート８間に配設する態様（図６）、さらには、トップシート２およびバックシート３を挟みこむような固定部材１４ａ，１４ｂを設けて、この固定部材１４ａ，１４ｂの他方端で本体延出部６を挟みこんで固定する態様（図７）など、種々の態様を採用し得る。なお、本体延出部６は、吸収物品の着用状態を保つものであるため、着用時のみならず、着用中にも張力がかかる。従って、ホットメルト接着剤などの接着手段でしっかりと固定しておくのが好ましい。
【００２３】
本発明の吸収物品は、本体延出部６を構成する基材シート１５上の係合部材７ｂと、吸収本体５の腹側部５ａに設けられた係合部材７ａと係合させることにより、吸収物品を着用状態とする。すなわち、着用時には、上記本体延出部６は着用者の腰脇部に位置することになる（図３参照）。したがって、本体延出部６には、吸水能よりもむしろ通気性に優れることが要求されるが、上述したように、着用者の体勢によっては、この本体延出部６からも尿などが染み出す場合がある。かかる観点から、本発明の吸収物品では、通気性を有すると共に、尿などの染み出しをも防止し得る構成とするため、本体延出部６を構成する基材シート１５として、耐水圧７０ｍｍＨ2Ｏ以上の不織布を採用する。
【００２４】
ここで、耐水圧とは、ＪＩＳ  Ｌ１０９２に基づく耐水度試験（Ａ法：低水圧法）によって算出される値であって、本発明では、尿の染み出しにくさを指標するものとして採用しており、耐水圧の値が大きいほど尿などが染み出しにくいことを意味する。尿などの染み出しを防ぐ観点からは、上記本体延出部６を構成する不織布の耐水圧は７０ｍｍＨ2Ｏ以上とする。より好ましくは１２０ｍｍＨ2Ｏ以上であり、さらに好ましくは１５０ｍｍＨ2Ｏ以上である。
【００２５】
また、蒸れやベタツキを抑えて着用時の快適さを向上させる観点からは、上記本体延出部６を構成する不織布の目付けは、３０ｇ／ｍ2以上であるのが好ましく、より好ましくは５０ｇ／ｍ2以上、さらに好ましくは６０ｇ／ｍ2以上であり、１８０ｇ／ｍ2以下であるのが好ましく、より好ましくは１５０ｇ／ｍ2以下、さらに好ましくは１２０ｇ／ｍ2以下である。上記範囲内であれば、通気性に加えて柔軟さも確保されるため肌触りも良好なものとなる。
【００２６】
上記本体延出部６を構成する素材としては、ポリプロピレン，ポリエチレン，ポリエステル，ポリアミド等の疎水性繊維（複合繊維を含む）を使用した不織布が挙げられる。これらの中でも、強度面からはポリプロピレン系の合成繊維（複合繊維を含む）を採用することが推奨される。なお、上記不織布の製法は特に限定されず、スパンボンド法、メルトブロー法、エアースルー法、ポイントボンド法などいずれも採用可能である。得られる不織布の強度が高いという点からは、スパンボンド不織布や、ＳＭＳ（スパンボンド‐メルトブロー‐スパンボンド）不織布が好ましく、特にＳＭＳ不織布は、緻密で優れた耐水圧を示すため好ましい。
【００２７】
上記本体延出部６の先端部および吸収本体５腹側部５ａ（反身体側面）に配設する係合部材７ａ，７ｂとしては、雄型係合部材と雌型係合部材とからなる面ファスナーを使用するのが好ましい。上記雄型係合部材としては、鉤型係合素子を植え付けた係合片やマッシュルーム型係合素子を植え付けた係合片などが挙げられ、雌型係合部材としてはループ型係合片や、前記雄型係合素子と係合可能な不織布などが挙げられる。上記係合部材の取り付け方は限定されないが、着用者の肌を刺激するおそれがなく、快適な着用感を与え得るという点では、吸収本体６の反身体側面（係合部材７ａ）に雌型係合部材を用い、本体延出部６の先端部に雄型係合部材を用いる態様（係合部材７ｂ）とするのが好ましい。
【００２８】
尚、上記係合部材７ｂは、非使用時には折り返されて本体延出部６を構成する不織布と係合し、仮止めされた状態で保持され、使用時に本体延出部６（不織布）から剥がされるように構成されている。
【００２９】
上記のように構成された使い捨て吸収物品は、着用時に着用者の腰脇部に位置する本体延出部が、耐水圧７０ｍｍＨ2Ｏ以上の不織布で形成されているため、着用時の通気性に優れるのは勿論のこと、着用者の体勢の変化によって吸収体から尿などが染み出した場合であっても尿などが染み出すおそれがないものである。
【図面の簡単な説明】
【００３０】
【図１】本発明の吸収物品の一例を示す展開図である。
【図２】図１に示す吸収物品のＡ−Ａ線部における断面模式図である。
【図３】本発明の吸収物品の着用状態を示す模式図である。
【図４】本体延出部６の他の配設例を示す断面模式図である。
【図５】本体延出部６の他の配設例を示す断面模式図である。
【図６】本体延出部６の他の配設例を示す断面模式図である。
【図７】本体延出部６の他の配設例を示す断面模式図である。
【符号の説明】
【００３１】
１    使い捨て吸収物品
２    トップシート
３    バックシート
４    吸収体
５    吸収本体
６    本体延出部
７ａ  係合部材（雄）
７ｂ  係合部材（雌）
８    サイドシート
９    立ち上がりギャザー
１０  弾性部材
１１  弾性部材
１２  弾性部材
１３  外装シート
１４ａ  固定部材
１４ｂ  固定部材
１５  基材シート
【図１】
2006141727.tif 000003
【図２】
2006141727.tif 000004
【図３】
2006141727.tif 000005
【図４】
2006141727.tif 000006
【図５】
2006141727.tif 000007
【図６】
2006141727.tif 000008
【図７】
2006141727.tif 000009